(57)【要約】【課題】養生用シートを緊張する際のクランプの落下を防止することのできる養生用シートのクランプ装置を提供する。【解決手段】縦地パイプ２に所定間隔をおいてクランプねじ１６により取り付けられる固定部材６および可動部材７と、前部にフック１７が固着され、上下方向に長孔１６が形成され、可動部材７に一端が固定された可動板８とを備え、固定部材７にねじ込まれた締付ねじ２０に長孔１６をスライド可能に挿入し、締付ねじ２０により、可動板８を固定部材６に締付固定するようにした。【選択図】図３
2012188873.tif 000002
【特許請求の範囲】
【請求項１】
養生用シートをクランプして縦地パイプに取り付ける養生用シートのクランプ装置であって、
前記縦地パイプに所定間隔をおいてクランプねじにより取り付けられる固定部材および可動部材と、
フックが固着され、上下方向に長孔が形成され、前記可動部材に一端が固定された可動板と、
前記固定部材にねじ込まれ、前記長孔がスライド可能に挿入され、前記可動板を前記固定部材に締付固定する該締付ねじと、を備えたことを特徴とする養生用シートのクランプ装置。
【請求項２】
前記フックは、前記可動板の前面に固着された前面フックおよび前記可動板の側面に固着された側面フックにより構成されていることを特徴とする請求項１記載の養生用シートのクランプ装置。
【請求項３】
前記可動部材又は可動板の側部に操作ハンドルを設けたことを特徴とする請求項１又は２記載の養生用シートのクランプ装置。
【請求項４】
前記フックに前記養生用シートの上端又は下端の一端部を引掛け、該養生用シートの他端部は縦地パイプに取り付けられる固定部材にフックを設けた通常のクランプにくわえさせることを特徴とする請求項１ないし３のいずれかに記載の養生用シートのクランプ装置。
【発明の詳細な説明】
【技術分野】
【０００１】
本発明は、建設工事現場の足場等に設置される養生用シートのクランプ装置に関し、特に養生用シートを緊張させる機構を備えた養生用シートのクランプ装置に関するものである。
【背景技術】
【０００２】
建設工事現場において、作業中の資材、工具あるいは塵埃などが地上に落下するのを防止するため、建築中の躯体の周囲にはネットやシート（以下、養生用シートと称す）で養生を行っている。養生用シートの設置は、上下に配置した４個のクランプに養生用シートの鳩目部分を通すことにより、足場の縦地パイプに固定するようにしている。
【０００３】
図７に、従来のクランプの構成例を示している。
このクランプ４は、前部の本体部４０の後部にヒンジ４１により締付部材４２が連結されている。締付部材４２の側端部に二股部４３が設けられ、本体部４０にヒンジ４４を介して連結されたボルト４５が二股部に出入り自在にはめ込まれ、ボルト４５にねじ込まれるクランプねじ４６により二股部４３を締付けることにより、締付部材４２を縦地パイプ２に締付けてクランプするようになっている。本体部４０の前部にフック４７が固着されており、このフック４７に養生用シート（図示せず）の鳩目を引掛けて養生用シートを足場などの縦地パイプに取り付けるようにしている（特許文献１参照）。
【先行技術文献】
【特許文献】
【０００４】
【特許文献１】特開２０１０−１９６３０２号公報
【発明の概要】
【発明が解決しようとする課題】
【０００５】
養生用シートの設置においては、クランプのフックにくわえさせた養生用シートをピンと張った状態に緊張させる必要がある。図７に示すような従来のクランプでは、フック４７に養生用シートの鳩目をくわえさせ、クランプねじ４６をゆるめた状態のクランプを縦地パイプ２に沿って移動させて養生用シートを緊張させ、その状態でクランプねじ４６を締付けてクランプ４を縦地パイプ２に固定する。このため、クランプねじ４６を緩めた状態で養生用シートからの引張力がクランプ４にかかると、そのはずみでクランプ４が縦地パイプ２から外れて落下し、地上にいる歩行者などの第三者に障害を及ぼす危険性があった。
【０００６】
本発明は、上記課題を解決するものであり、養生用シートを緊張する際のクランプの落下を防止した安全性の高い養生用シートのクランプ装置を提供することを目的とする。
【課題を解決するための手段】
【０００７】
上記課題を解決するため、請求項１記載の養生用シートのクランプ装置は、養生用シートをクランプして縦地パイプに取り付ける養生用シートのクランプ装置であって、前記縦地パイプに所定間隔をおいてクランプねじにより取り付けられる固定部材および可動部材と、フックが固着され、上下方向に長孔が形成され、前記可動部材に一端が固定された可動板と、前記固定部材にねじ込まれ、前記長孔がスライド可能に挿入され、前記可動板を前記固定部材に締付固定する該締付ねじと、を備えたことを特徴とする。
【０００８】
請求項２記載の養生用シートのクランプ装置は、請求項１記載の養生用シートのクランプ装置であって、前記フックは、前記可動板の前面に固着された前面フックおよび前記可動板の側面に固着された側面フックにより構成されていることを特徴とする。
【０００９】
請求項３記載の養生用シートのクランプ装置は、請求項１又は２記載の養生用シートのクランプ装置であって、前記可動部材又は可動板の側部に操作ハンドルを設けたことを特徴とする。
【００１０】
請求項４記載の養生用シートのクランプ装置は、請求項１ないし３のいずれかに記載の養生用シートのクランプ装置前記フックに前記養生用シートの上端又は下端の一端部を引掛け、該養生用シートの他端部は縦地パイプに取り付けられる固定部材にフックを設けた通常のクランプにくわえさせることを特徴とする。
【発明の効果】
【００１１】
本発明の養生用シートのクランプ装置によれば、固定部材は常に縦地パイプに固定された状態となっているので、養生用シートの緊張操作時にクランプ装置が縦地パイプから離脱して落下して第三者傷害を起こす危険性をなくすることができる。
【図面の簡単な説明】
【００１２】
【図１】本発明のクランプ装置を備えた養生用シートの正面図である。
【図２】本発明の養生用シートのクランプ装置の第１実施形態を示す正面図で、（ａ）は緊張前、（ｂ）は緊張後を示している。
【図３】図２（ａ）および（ｂ）の一部切欠き側面図である。
【図４】図３の横断平面図である。
【図５】本発明の養生用シートのクランプ装置の第２実施形態を示す正面図で、（ａ）は緊張前、（ｂ）は緊張後を示している。
【図６】図５の横断平面図である。
【図７】従来の一般的なクランプであって、（ａ）は正面図、（ｂ）は側面図、（ｃ）は横断面図である。
【発明を実施するための最良の形態】
【００１３】
以下、添付図面を参照して、本発明の養生用シートのクランプ装置の実施の形態を説明する。
【００１４】
図１は、養生用シートを設置した状態の正面図である。
養生用シート１は、足場の縦地パイプ２にクランプ装置３を介して取り付けられている。図示の例では、２枚の養生用シート１、１の上部を左側、右側および中央の縦地パイプに取り付けられた、本発明に係るクランプ装置３に引掛け、下部は、左側、右側および中央の縦地パイプ２に取り付けられた、従来の一般的なクランプ４に引掛け、緊張させて取り付けた状態を示している。
【００１５】
図２は、本発明に係るクランプ装置の正面図、図３は縦断側面図であって、各々の（ａ）は緊張前、（ｂ）は緊張後の状態を各々示している。
【００１６】
クランプ装置３は、固定部材６と、可動部材７と、これら固定部材６と可動部材７の前部に設けられた可動板８とを備えている。固定部材６および可動部材７は同一構造のもので、前部に位置する本体部１０の後部にヒンジ１１により締付部材１２が連結されている。締付部材１２の側端部に二股部１３が設けられ、本体部１０にヒンジ１４を介して連結されたボルト１５が二股部１３に出入り自在にはめ込まれ、ボルト１５にねじ込まれるクランプねじ１９により二股部１３を締付けることにより、本体部１０と締付部材１２で縦地パイプ２をクランプするようになっている。
【００１７】
可動板８は、両側に側板８aが形成された板状のもので、前部にはＬ形のフック１７が固着されるとともに、上下方向を向く長孔１６が形成されている。可動板８の下部は、固定ねじ１８により可動部材７の本体部１０に固定されている。固定部材６にはガイド兼用の締付ねじ２０がねじ込まれ、この締付ねじ２０に可動板８の長孔１６がガイドされて可動板８が上下にスライドし、これに伴って可動部材７が縦地パイプ２に沿って上下動するようになっている。
【００１８】
次に、養生用シートの取り付けの操作を説明する。
図２、図３の（ａ）に示すように、可動部材７が下降した状態で、フック１７に養生用シート１の上部の鳩目２１を引掛ける。養生用シート１の下端部は、図６に示す従来のクランプ４のフック４７（下向き）に鳩目２１を引掛ける。なお、図２は、図１に示す中央のクランプ装置３を示しており、左右のフック１７、１７の各々に左右の養生用シート１、１を引掛けた状態を示している。図１に示す左右両端のクランプ装置３では片方のフック１７のみを使用すればよい。
【００１９】
この状態で、図２（ｂ）、図３（ｂ）に示すように可動部材７を上昇させる。このとき、可動部材７のクランプねじ１９を緩めておくことにより、可動部材７は自由に可動し得るようになっており、上昇後にクランプねじ１９を締付けることにより、可動部材７は図２（ｂ）、図３（ｂ）の状態で固定される。可動部材７の上昇により、上部のクランプ装置３と下部のクランプ４のフック１７、４７に引掛けられた養生用シート１は緊張状態となる。養生用シート１、１の突合せ部分は紐２３により連結している。
【００２０】
上記実施形態では、養生用シート１の上部を本発明のクランプ装置３に引掛けて上部で緊張操作する例を示しているが、養生用シートの下部を本発明のクランプ装置３に引掛け（フック１７は下向き）、可動板８を下方に移動させて下部で緊張操作することもある。
【００２１】
図２、図３に示すように、可動部材６又は可動板８の側部に操作ハンドル３０を取り付けておくことにより、緊張操作時にこの操作ハンドル３０を持って可動部材６および可動板８を簡単に移動させることができる。
【００２２】
図５、図６は、本発明の第２実施形態を示す。第２実施形態では、可動板８の前面に前面フック１７aと固着し、可動板８の側板８aに側面フック１７ｂを固着している。第２実施形態のクランプ装置は養生シートのコーナー部で使用するもので、前面フック１７aに前面の養生シート１を引掛け、側面フック１７ｂに側面の養生シート１´を引掛ける。これにより、養生シートのコーナー部を１個のクランプ装置により張設することができる。
【００２３】
以上のように、固定部材６と可動部材７のダブルクランプとし、固定部材６は常時縦地パイプ２に固定された状態とすることにより、養生用シート１の緊張操作時に、可動部材６が緩められて仮に縦地パイプ２から外れても、可動部材６は可動板８を介して固定部材６に連結されているので、クランプ装置３が縦地パイプ２から離脱して落下する危険をなくすることができる。また、可動部材６のスライド操作だけで養生用シート１の緊張操作が可能となるので、従来のクランプ全体を縦地パイプに沿って移動操作して緊張させる方法に比べて緊張操作が容易である。
【符号の説明】
【００２４】
１、１´  養生用シート
２  縦地パイプ
３  クランプ装置
４  クランプ
６  固定部材
７  可動部材
８  可動板
１６  長孔
１７、１７a、１７ｂ  フック
１９  クランプねじ
２０  締付ねじ
４７  フック
【図１】
2012188873.tif 000003
【図２】
2012188873.tif 000004
【図３】
2012188873.tif 000005
【図４】
2012188873.tif 000006
【図５】
2012188873.tif 000007
【図６】
2012188873.tif 000008
【図７】
2012188873.tif 000009